(57)【要約】【課題】１つの操作部材のプッシュ操作および互いに反対の２方向へのスライド操作が可能なスイッチ装置を小型かつ薄型に構成できるスイッチ装置を提供する。【解決手段】スイッチ装置１０は、操作部材１４と、操作部材１４のスライド操作に伴ってスライド移動可能なスライド部材１６と、スライド部材をスライド移動可能に支持するベース部材１８と、ベース部材１８の裏面に配置された基板２２を備える。基板２２には、操作部材１４のプッシュ操作によって押下されるプッシュスイッチ部２３ａ、操作部材１４の一方側へのスライド操作を検知する第１スライドスイッチ部２３ｂ、および、操作部材１４の他方側へのスライド操作を検知する第２スライドスイッチ部２３ｃが実装されている。ベース部材１８上に揺動可能に設けられ、揺動中心を挟んで両側に位置する一方端部および他方端部を有する揺動部材２０をさらに備える。【選択図】図２
2019175820.tif 000002
【特許請求の範囲】
【請求項１】
互いに反対である２方向へのスライド操作とプッシュ操作とが可能な操作部材と、
前記操作部材のスライド操作に伴ってスライド移動可能であって、裏面に第１突起部および第２突起部が形成されているスライド部材と、
前記スライド部材をスライド移動可能に支持するベース部材と、
前記ベース部材の裏面に配置された基板であって、前記操作部材のプッシュ操作によって押下されるプッシュスイッチ部、前記操作部材の一方側へのスライド操作を検知する第１スライドスイッチ部、および、前記操作部材の他方側へのスライド操作を検知する第２スライドスイッチ部が実装されている基板と、
前記ベース部材上に揺動可能に設けられ、揺動中心を挟んで両側に位置する一方端部および他方端部を有する揺動部材と、を備え、
前記揺動部材は、前記操作部材の一方側へのスライド操作に伴って移動する前記スライド部材の第１突起部で押されて前記一方端部が前記第１スライドスイッチ部を押下し、前記操作部材の他方側へのスライド操作に伴って移動する前記スライド部材の第２突起部で押されて前記他方端部が前記第２スライドスイッチ部を押下する、
スイッチ装置。
【請求項２】
前記ベース部材には前記操作部材がプッシュ操作されたときに嵌合する開口部が形成されており、この開口部によってプッシュ操作中における前記操作部材のスライド移動が規制される、請求項１に記載のスイッチ装置。
【請求項３】
前記操作部材がスライド操作されたとき前記操作部材は前記ベース部材に形成された前記開口部からずれた位置となって嵌合不能となる、請求項２に記載のスイッチ装置。
【請求項４】
前記揺動部材の一方端部および他方端部には、互いに異なる方向に傾斜した傾斜面が形成されている、請求項１〜３のいずれか一項に記載のスイッチ装置。
【請求項５】
前記基板には前記プッシュスイッチ部に隣接して発光部が実装されており、前記発光部から照射された光が前記操作部材の内部空間を通って前記操作部材の端面に設けられた透光部を照明する、請求項１〜４のいずれか一項に記載のスイッチ装置。
【請求項６】
前記発光部は発光ダイオードで構成され、前記操作部材はその内部空間の入り口が前記基板上の発光部に対向するように配置され、前記操作部材がスライド操作されたとき前記内部空間の入り口が前記発光部の対向位置からずれることによって前記内部空間に入射する光量が減少する、請求項５に記載のスイッチ装置。
【請求項７】
前記ベース部材には前記操作部材がプッシュ操作されたときに嵌合する開口部が形成されており、前記発光部から出射した光は前記開口部を通って前記操作部材の内部空間の入り口から入射可能になっており、前記操作部材がスライド操作されたとき前記内部空間の入り口が前記ベース部材の開口部からずれることによって前記入り口との重なり面積が狭くなって前記内部空間に入射する光量が減少する、請求項６に記載のスイッチ装置。
【発明の詳細な説明】
【技術分野】
【０００１】
本開示は、スイッチ装置に関する。
【背景技術】
【０００２】
例えば、特許文献１には、各種電子機器の入力部等に使用される複合スイッチが開示されている。この複合スイッチは、２つのスイッチ部が操作体へのプッシュ操作およびスライド操作に応じてそれぞれ作動するように構成されている。より詳しくは、複合スイッチは、操作体へのプッシュ操作に応じてスイッチ状態が切り換わる第１スイッチ部と、操作体に対するスライド操作に応じてスイッチ状態が切り換わる第２スイッチ部とを有する。ここで、第１スイッチ部と第２スイッチ部とは直方体状の筐体の長手方向に沿った方向に順に並べて配設されるとともに、操作体へのプッシュ操作時に、操作体は第１スイッチ部側が下がる傾倒動作可能に配置されているものである。
【先行技術文献】
【特許文献】
【０００３】
【特許文献１】特開２０１４−１３７０９号公報
【発明の概要】
【発明が解決しようとする課題】
【０００４】
例えば、自動車のルーフに設置されたサンルーフパネルをスライド移動させて開閉操作するとともにサンルーフパネルの後端部が跳ね上がった状態にチルト開放することがある。この場合、サンルーフパネルのスライド開閉操作およびチルト開閉操作するためのスイッチ装置として、１つの操作部材をプッシュ操作またはスライド操作することによって上記サンルーフパネルの開閉操作を行えるようにすることが操作性向上の観点から好ましい。また、この場合、車室内における意匠性の向上を図るうえで、小型かつ薄型に構成されるのが好ましい。
【０００５】
本開示の目的は、１つの操作部材のプッシュ操作および互いに反対の２方向へのスライド操作が可能なスイッチ装置を小型かつ薄型に構成できるようにしたスイッチ装置を提供することである。
【課題を解決するための手段】
【０００６】
本開示に係るスイッチ装置は、互いに反対である２方向へのスライド操作とプッシュ操作とが可能な操作部材と、操作部材のスライド操作に伴ってスライド移動可能であって、裏面に第１突起部および第２突起部が形成されているスライド部材と、スライド部材をスライド移動可能に支持するベース部材と、ベース部材の裏面に配置された基板とを備える。基板には、操作部材のプッシュ操作によって押下されるプッシュスイッチ部、操作部材の一方側へのスライド操作を検知する第１スライドスイッチ部、および、操作部材の他方側へのスライド操作を検知する第２スライドスイッチ部が実装されている。また、ベース部材上に揺動可能に設けられ、揺動中心を挟んで両側に位置する一方端部および他方端部を有する揺動部材をさらに備える。揺動部材は、操作部材の一方側へのスライド操作に伴って移動するスライド部材の第１突起部で押されて一方端部が第１スライドスイッチ部を押下し、操作部材の他方側へのスライド操作に伴って移動するスライド部材の第２突起部で押されて他方端部が第２スライドスイッチ部を押下する。
【発明の効果】
【０００７】
本開示に係るスイッチ装置によれば、１つの操作部材のプッシュ操作および互いに反対の２方向へのスライド操作が可能なスイッチ装置を小型かつ薄型に構成することができる。
【図面の簡単な説明】
【０００８】
【図１】本開示の一実施形態であるスイッチ装置を正面側から見た斜視図である。
【図２】図１に示したスイッチ装置の分解斜視図である。
【図３】図１中のＡ−Ａ断面図である。
【図４】図１に示したスイッチ装置を、カバーを取り外した状態で示す斜視図である。
【図５】スライド部材を裏面側から見た図である。
【図６】揺動部材および基板が組み付けられたベース部材を正面側から見た斜視図である。
【図７】スライド部材、揺動部材および基板を、ベース部材を取り除いた状態で示す斜視図である。
【図８】図４に示したスイッチ装置を、操作ノブを取り外した状態で示す正面図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態であるスイッチ装置１０を正面側から見た斜視図である。図２は、図１に示したスイッチ装置１０の分解斜視図である。図３は、図１中のＡ−Ａ断面図である。図１〜図３（他図でも同様）において、スイッチ装置１０の幅方向が矢印Ｘで、長さ方向が矢印Ｙで、厚さ方向が矢印Ｚで示される。これらの３方向は互いに直交する。
【００１１】
スイッチ装置１０は、例えば、自動車のルーフに設置されたサンルーフパネルを開閉操作するためのスイッチとして好適にも用いられる。この場合、スイッチ装置１０は、例えば、自動車の車室内の天井部において運転者等の乗員が操設しやすい位置に設置される。また、この場合、スイッチ装置１０は、例えば、幅方向Ｘが車幅方向に沿い、長さ方向Ｙが車両前後方向に沿い、かつ、操作部材１４が下向きの状態で設置される。なお、図１においてスイッチ装置１０の上部が例えば車両前側に配置される。
【００１２】
図１及び図２に示すように、スイッチ装置１０は、カバー１２、操作部材１４、スライド部材１６、ベース部材１８、揺動部材２０、及び、基板２２を備える。以下の説明において、スイッチ装置１０の厚さ方向Ｚにおいて、カバー１２が設けられる側を「前」または「表」といい、基板２２が設けられる側を「後」または「裏」という。
【００１３】
カバー１２は、例えば、樹脂製部材である。カバー１２は、スイッチ装置１０の前側を覆った状態で、ベース部材１８に取り付けられる。また、カバー１２は、厚さ方向Ｚから見た正面視で長方形状をなし、前側に壁部１２ａを有するとともに後方に開口した略直方体状に形成されている。カバー１２の前側壁部１２ａには、正面視で長さ方向Ｙに延びた長方形状をなす凹部１３が形成されている。凹部１３の底部１３ａは、湾曲面状に形成されている。そして、凹部１３の底部１３ａには、開口部１３ｂが形成されている。
【００１４】
操作部材１４は、カバー１２の開口部１３ｂ内に配置されている。操作部材１４は、互いに反対である２方向へのスライド操作とプッシュ操作とが可能に構成されている。具体的には、操作部材１４は、図３に示すように、長さ方向Ｙに沿った一方方向Ｙ１と、その反対方向である他方方向Ｙ２とにスライド操作可能になっている。また、操作部材１４は、厚さ方向に沿った押し込み方向Ｚ１へプッシュ操作可能になっている。
【００１５】
図１〜図３に示すように、操作部材１４は、操作ノブ１４ａと、操作ノブブラケット１４ｂとを備える。操作ノブ１４ａおよび操作ノブブラケット１４ｂはいずれも樹脂部品で構成されるのが好ましい。操作ノブ１４ａは、その裏面側に操作ノブブラケット１４ｂの前端部が嵌合して取り付けられている。操作ノブ１４ａは、カバー１２の凹部１３の底部１３ａと非接触状態で配置されている。操作ノブ１４ａは、スライド操作およびプッシュ操作のいずれの操作がなされた場合でも、カバー１２の凹部１３の底部１３ａに接触しない程度の隙間を設けておくのが好ましい。
【００１６】
操作ノブ１４ａの前端面には、薄肉部（透光部）２４が形成されている。薄肉部２４は、後述するように操作ノブブラケット１４ｂの内部空間に後方から入射した光の一部が透過することができる。これにより、夜間において操作部材１４の位置が操作者に視認できるようになっている。なお、本実施形態では薄肉部２４が矩形状の外形に示されているが、これは単なる例示に過ぎない。薄肉部２４は、例えば、マーク、文字、記号等であってもよい。
【００１７】
操作ノブブラケット１４ｂは、矩形筒状の前端部２６と、前端部２６から後方に突出した後端部２８とを有している。前端部２６は内部空間１７を含んでいる。この内部空間１７の入り口である開口部が後方に向いている。この開口部を介して、操作部材１４の内部に光が入射されることになる。
【００１８】
操作ノブブラケット１４ｂの後端部２８は、操作部材１４がプッシュ操作されたとき、後述するように基板２２に実装されたプッシュスイッチ部を押下する押下部となる。また、スライド部材１６の前面にはスプリング３０が取り付けられ、このスプリング３０が操作ノブブラケット１４ｂの前端部２６を前方へ付勢可能に配置されている。これにより、操作部材１４がプッシュ操作されたとき、スプリング３０の付勢力によって操作部材１４が初期位置に復帰するようになっている。
【００１９】
スライド部材１６は、例えば、樹脂部材によって好適に構成される。スライド部材１６は、前方から見た正面視で長方形状をなし、長さ方向Ｙの中央部に前方に突出した矩形状の筒部３２を有している。図３に示すように、スライド部材１６の筒部３２には、操作部材１４の操作ノブブラケット１４ｂが厚さ方向Ｚに移動可能に嵌め込まれている。このように、操作部材１４は、スライド部材１６に対して移動可能に支持されていることで、プッシュ操作が可能になっている。
【００２０】
また、スライド部材１６は筒部３２に操作ノブブラケット１４ｂが嵌め込まれていることで、操作部材１４と一体となってスライド移動するようになっている。したがって、操作者によって操作部材１４がスライド操作されたとき、スライド部材１６も一緒にスライド移動することになる。
【００２１】
図２に示すように、前方視で長方形状をなすスライド部材１６は、４つの角部から後方に突出したガイド部３４を有する。図２には、４つのガイド部３４のうち２つだけが図示されている。図４は、図１に示したスイッチ装置１０を、カバーを取り外した状態で示す斜視図である。図４に示すように、スライド部材１６のガイド部３４は、後述するベース部材１８の壁部に形成されたガイド孔３６に嵌め込まれて配置されている。ガイド孔３６は、スライド部材１６のガイド部３４の長さ寸法よりも長く延びて形成されている。これにより、スライド部材１６は、ガイド部３４がガイド孔３６内でガイドされながら長さ方向Ｙに沿ってスライド移動することができる。また、ガイド部３４はガイド孔３６の長手方向の端部に当接することで、それ以上のスライド移動が規制されるストッパとしての機能を果たしてもよい。
【００２２】
図５は、スライド部材１６を裏面側から見た図である。スライド部材１６の裏面には、一対の屈曲壁部３８が幅方向の両側において厚さ方向に突出するように形成されている。屈曲壁部３８は幅方向端部側に向かって凸状となる略Ｖ字状をなして形成されている。一対の屈曲壁部３８の間には、スライド復元部材４０が配置されている。スライド復元部材４０は、後述するベース部材１８の壁部前面に取り付けられている。図５において、スライド復元部材４０は固定位置であり、このスライド復元部材４０に対してスライド部材１６は矢印Ｙ１，Ｙ２方向にスライド移動可能である。
【００２３】
スライド復元部材４０は、幅方向中央部に設けられたスプリング４２と、スプリング４２の両端にそれぞれ連結された圧接部材４４とを含む。圧接部材４４の先端部は、略半球状に形成されており、一対の屈曲壁部３８の内面に圧接されている。圧接部材４４の先端が屈曲壁部３８の屈曲した谷部に位置するとき、スライド部材１６は初期位置（すなわち操作部材１４がスライド操作されていないときの位置）にあって安定した状態にある。これに対し、操作部材１４がスライド操作されてスライド部材１６が長さ方向Ｙに沿って矢印Ｙ１，Ｙ２のいずれかの方向にスライド移動したとき、圧接部材４４の先端が屈曲壁部３８の内面において谷部からずれた位置に圧接されることになる。そうすると、スプリング４２の付勢力によって圧接部材４４の先端は屈曲壁部３８の谷部側へずれようとする力が作用する。その結果、操作部材１４と共にスライド移動したスライド部材１６に初期位置へ戻ろうとする復元力が作用する。これにより、操作者による操作部材１４のスライド操作が完了すると、操作部材１４およびスライド部材１６が初期位置へと復帰することができる。
【００２４】
なお、操作部材１４の復元力は上述した以外の構成によって得られるようにしてもよく、例えば、板ばね等によって得られるように構成してもよい。
【００２５】
再び図２および図３を参照すると、ベース部材１８は、例えば、樹脂部材によって好適に構成される。ベース部材１８は、前方から見た正面視で長方形状をなしている。また、ベース部材１８は、長さ方向Ｙに沿って延在する長方形状の壁面１９ａを有する。壁面１９ａの幅方向両側には、ほぼ直交する角度をなす側壁１９ｂがそれぞれ立設されている。両側の側壁１９ｂ，１９ｂの間に、スライド部材１６がスライド移動可能に配置される。各側壁１９ｂ，１９ｂは、スライド部材１６のスライド移動を案内するガイドレールとして機能してもよい。
【００２６】
また、ベース部材１８の壁面１９ａの端部には、スライド部材１６に復元力を付与するスライド復元部材４０が配置されている。スライド復元部材４０は、壁面１９ａ上に形成された略Ｕ字状断面を有する爪部４３（図３参照）にスナップフィットで取り付けられている。
【００２７】
図６は、揺動部材２０および基板２２が組み付けられたベース部材１８を正面側から見た斜視図である。図７は、スライド部材１６、揺動部材２０および基板２２を、ベース部材１８を取り除いた状態で示す斜視図である。
【００２８】
図２及び図３に示すように、ベース部材１８の壁面１９ａの裏面に基板２２が取り付けられている。基板２２は、例えば、接着、ねじ止め等によってベース部材１８に固定されている。
【００２９】
図３に示すように、基板２２は、例えば樹脂製の板材によって構成され、表面には図示しない導電パターンがめっき等によって形成されている。また、基板２２の表面には、３つのスイッチ部２３ａ，２３ｂ，２３ｃと、１つの発光部２５とが実装されている。なお、本実施形態では基板２２の長さ方向一端部から矩形状の切り込みが形成されているが、この切り込み部は省略されてもよい。
【００３０】
基板２２の長さ方向中央部であって長さ方向のほぼ中央部に、プッシュスイッチ部２３ａが配置されている。プッシュスイッチ部２３ａは、操作部材１４がプッシュ操作されたとき操作ノブブラケット１４ｂの後端部２８によって押下されることで、プッシュ操作を検知する機能を有する。
【００３１】
基板２２上であってプッシュスイッチ部２３ａの近傍に、発光部２５が配置されている。発光部２５は、例えば、発光ダイオード（ＬＥＤ）によって好適に構成される。スイッチ装置１０が自動車のサンルーフ用スイッチとして搭載された場合には、車両前照点灯などが点灯されたときに同期して点灯する。発光部２５から出射された光は、ベース部材１８の壁面１９ａに形成された開口部５０を介して、操作部材１４の内部空間１７に導入され、操作ノブ１４ａの端面の薄肉部２４を内側から照明する。これにより、薄肉部２４を透過した光によって操作ノブ１４ａの位置が操作者によって視認可能な状態になる。
【００３２】
図６に示すように、ベース部材１８の壁面１９ａには、前方から見た正面視で２つの矩形がずれて重なったような形状をなす開口部５０が形成されている。開口部５０は、壁面１９ａにおいて幅方向および長さ方向のそれぞれ中央に位置して形成されている。この開口部５０を介して発光部２５からの光が前方に照射されることは上述したとおりである。
【００３３】
基板２２上のプッシュスイッチ部２３ａは開口部５０に臨んで配置されており、図３に示すように、プッシュスイッチ部２３ａに近接して操作ノブブラケット１４ｂの後端部２８が位置している。そのため、操作部材１４がプッシュ操作されてプッシュスイッチ部２３ａが押下されたとき、操作ノブブラケット１４ｂの後端部２８の先端がベース部材１８の開口部５０における長さ方向Ｙの縁部に係合した状態となる。その結果、操作ノブブラケット１４ｂを含む操作部材１４が長さ方向Ｙにスライド移動できない状態になる。これにより、操作部材１４をプッシュ操作したままでスライド操作することが防止される。
【００３４】
図２に示すように、基板２２の長さ方向Ｙの端部に第１スライドスイッチ部２３ｂおよび第２スライドスイッチ部２３ｃが実装されている。第１スライドスイッチ部２３ｂは、操作部材１４の一方側（矢印Ｙ１）へのスライド操作を検知する機能を有し、第２スライドスイッチ部は操作部材１４の他方側（矢印Ｙ２）へのスライド操作を検知する機能を有する。基板２２上において第１および第２スライドスイッチ部２３ｂ，２３ｃは、基板２２の幅方向中心線を挟んだ両側で、かつ、幅方向に並んで配置されている。
【００３５】
図２及び図６を参照すると、ベース部材１８の壁面１９ａの長さ方向端部には、２つの貫通孔５４，５６が形成されている。ベース部材１８に基板２２が取り付けられた状態で、第１スライドスイッチ部２３ｂが貫通孔５４に臨んで位置し、第２スライドスイッチ部２３ｃが貫通孔５６に臨んで位置している。
【００３６】
図２、図３及び図６に示すように、ベース部材１８の壁面１９ａの長さ方向端部には、揺動部材２０が揺動可能に設けられている。揺動部材２０は、両側面から長さ方向Ｙに沿ってそれぞれ突出する２つの軸部２１を有している。これらの軸部２１が壁面１９ａに立設されている支持爪部５８にスナップフィットによって回動可能に取り付けられる。これにより、揺動部材２０は、軸部２１を中心として揺動するようになっている。
【００３７】
また、揺動部材２０は、揺動中心である軸部２１を挟んだ幅方向両側に一方端部６０および他方端部６２を有する。揺動部材２０の一方端部６０および他方端部６２には、互いに異なる方向に傾斜した傾斜面６１，６３が形成されている。具体的には、一方端部６０の傾斜面６１は、長さ方向Ｙの一方側（矢印Ｙ１）へのスライド部材１６の移動を受け止める向きに傾斜しており、他方端部６２の傾斜面６３は、長さ方向Ｙの他方側（矢印Ｙ２）へのスライド部材１６の移動を受け止める向きに傾斜している。
【００３８】
図７に示すように、スライド部材１６の裏面には、ベース部材１８に取り付けられた揺動部材２０と対応する位置に第１突起部６４および第２突起部６６が突出して形成されている。各突起部６４，６６は、それぞれ、揺動部材２０の両端の傾斜面６１，６３にそれぞれ沿うような傾斜部を有している。これにより、操作部材１４が矢印Ｙ１方向にスライド操作されてスライド部材１６がスライド移動したとき、第１突起部６４によって第１端部６０が押されて揺動部材２０が揺動する。その結果、揺動部材２０の第１端部６０によって第１スライドスイッチ部２３ｂが押下され、操作部材１４の矢印Ｙ１方向へのスライド移動が検知される。
【００３９】
他方、操作部材１４が矢印Ｙ２方向にスライド操作されてスライド部材１６がスライド移動したとき、第２突起部６６によって他方端部６２が押されて揺動部材２０が揺動する。その結果、揺動部材２０の他方端部６２によって第２スライドスイッチ部２３ｃが押下され、操作部材１４の矢印Ｙ２方向へのスライド移動が検知される。
【００４０】
このように、操作部材１４の互いに反対である２方向のスライド動作を、揺動部材２０を用いて、スライド方向と直交する方向の押下動作に変換して、基板２２上幅方向に並んだ第１および第２スライドスイッチ部２３ｂ，２３ｃを確実に押下することができる。
【００４１】
また、操作部材１４をいずれか一方にスライド操作したとき、操作部材１４の操作ノブブラケット１４ｂの後端部２８が、ベース部材１８の壁面１９ａの開口部５０に対して位置がずれることで嵌合できなくなる。その結果、操作部材１４がスライド操作されながらプッシュ操作されてプッシュスイッチ部２３ａが押下されてしまうのを確実に防止することができる。
【００４２】
図８は、図４に示したスイッチ装置１０を、操作ノブ１４ａを取り外した状態で示す正面図である。図８に示すように、操作部材１４が初期位置にあるとき、前方から見た状態で基板２２上の発光部２５は操作ノブブラケット１４ｂの内部空間１７のほぼ中央に対向して位置している。これにより、操作ノブブラケット１４ｂの内部空間１７の入り口に、発光部２５からの光が入射されやすく、操作ノブ１４ａの薄肉部１４ｃ（図３等参照）を内側から明るく照明することができる。特に、発光部２５を発光ダイオードで構成した場合には光の指向性が高いことから、この傾向が大きくなる。
【００４３】
これに対し、操作部材１４がスライド操作されたとき内部空間１７の入り口が発光部２５の対向位置からずれることによって内部空間１７に入射する光量が、スライド操作前と比較して減少する。より詳しくは、ベース部材１８には操作部材１４がプッシュ操作されたときに嵌合する開口部５０が形成されており、発光部２５から出射した光は開口部５０を通って操作部材１４の内部空間１７の入り口から入射可能になっている。そのため、操作部材１４がスライド操作されたとき内部空間１７の入り口がベース部材１８の開口部５０から長さ方向にずれることによって上記入り口との重なり面積が狭くなる。その結果、操作部材１４の内部空間１７に入射する光量が減少することになる。
【００４４】
このように操作部材１４をスライド操作したとき内部空間に入射する光量が減少することで、操作ノブ１４ａの薄肉部１４ｃの点灯状態が暗くなる。このように減光した状態となることで操作者に対して操作中であること確実に知らしめることが可能となり、スイッチ装置１０の操作性が向上する。
【００４５】
上記構成からなるスイッチ装置１０が自動車のサンルーフパネルの開閉操作スイッチといて用いられた場合には、次のようにサンループパネルが開閉動作等を行うものとすることができる。例えば、操作部材１４を矢印Ｙ１方向にスライド操作したときサンルーフパネルが前方に移動して開放する。他方、操作部材１４を矢印Ｙ２方向にスライド操作したときサンルーフパネルが後方に移動して閉鎖する。また、操作部材１４を矢印Ｚ１方向にプッシュ操作すると、サンルーフパネルの後端部が跳ね上がった状態にチルト開放し、もう１度、操作部材１４をプッシュ操作するとサンルーフパネルがチルト開放した状態から閉鎖状態となる。
【００４６】
なお、本実施形態のスイッチ装置１０は、サンルーフパネルの開閉スイッチ以外の如何なる用途に用いられてもよい。
【００４７】
上述したように本実施形態のスイッチ装置１０は、互いに反対である２方向Ｙ１，Ｙ２へのスライド操作とプッシュ操作とが可能な操作部材１４と、操作部材１４のスライド操作に伴ってスライド移動可能であって、裏面に第１突起部６４および第２突起部６６が形成されているスライド部材１６と、スライド部材１６をスライド移動可能に支持するベース部材１８と、ベース部材１８の裏面に配置された基板２２を備える。基板２２には、操作部材１４のプッシュ操作によって押下されるプッシュスイッチ部２３ａ、操作部材１４の一方側へのスライド操作を検知する第１スライドスイッチ部２３ｂ、および、操作部材１４の他方側へのスライド操作を検知する第２スライドスイッチ部２３ｃが実装されている。ベース部材１８上に揺動可能に設けられ、揺動中心を挟んで両側に位置する一方端部６０および他方端部６２を有する揺動部材２０をさらに備える。揺動部材２０は、操作部材１４の一方側へのスライド操作に伴って移動するスライド部材１６の第１突起部６４で押されて一方端部６０が第１スライドスイッチ部２３ｂを押下する。操作部材１４の他方側へのスライド操作に伴って移動するスライド部材１６の第２突起部６６で押されて他方端部６２が第２スライドスイッチ部２３ｃを押下する。
【００４８】
この構成によれば、揺動部材２０を用いて操作部材の２方向へのスライド操作を、基板上に実装された第１および第２スライドスイッチ部２３ｂ，２３ｃの押下動作に変換することによって検知している。このようにしたことで、プッシュスイッチ部２３ａから離れた位置の基板上の２つのスライドスイッチ部２３ｂ，２３ｃを横並びで配置することができる。その結果、１つの操作部材１４のプッシュ操作および互いに反対の２方向へのスライド操作が可能なスイッチ装置１０を小型かつ薄型に構成できる。
【００４９】
本実施形態のスイッチ装置１０において、ベース部材１８には操作部材１４がプッシュ操作されたときに嵌合する開口部５０が形成されており、この開口部５０によってプッシュ操作中における操作部材１４のスライド移動が規制される。これにより、プッシュ操作中のスライド操作を確実に防止できる。
【００５０】
換言すれば、本実施形態のスイッチ装置１０では、操作部材１４がスライド操作されたとき操作部材１４はベース部材１８に形成された開口部５０からずれた位置となって嵌合不能となる。これにより、スライド操作中のプッシュ操作を確実に防止することができる。
【００５１】
なお、本開示に係るスイッチ装置は、上述した実施形態およびその変形例に限定されるものではなく、本願の特許請求の範囲に記載された事項の範囲内において種々の変更や改良が可能であることは勿論である。
【符号の説明】
【００５２】
１０  スイッチ装置、１２  カバー、１３  凹部、１３ａ  底部、１３ｂ  開口部、１４  操作部材、１４ａ  操作ノブ、１４ｂ  操作ノブブラケット、１４ｃ  薄肉部（透光部）、１６  スライド部材、１７  内部空間、１８  ベース部材、１９ａ  壁面、１９ｂ  側壁、２０  揺動部材、２１  軸部、２２  基板、２３ａ  プッシュスイッチ部、２３ｂ  第１スライドスイッチ部、２３ｃ  第２スライドスイッチ部、２４  薄肉部、２５  発光部、２６  前端部、２８  後端部、３０  スプリング、３２  筒部、３４  ガイド部、３６  ガイド孔、３８  屈曲壁部、４０  スライド復元部材、４２  スプリング、４３  爪部、４４  圧接部材、５０  開口部、５４，５６  貫通孔、５８  支持爪部、６０  一方端部、６１，６３  傾斜面、６２  他方端部、６４  第１突起部、６６  第２突起部。
【図１】
2019175820.tif 000003
【図２】
2019175820.tif 000004
【図３】
2019175820.tif 000005
【図４】
2019175820.tif 000006
【図５】
2019175820.tif 000007
【図６】
2019175820.tif 000008
【図７】
2019175820.tif 000009
【図８】
2019175820.tif 000010